(57)【要約】【課題】  Ｈ．２６４規格のデコードの構成を変えることなく、Ｈ．２６４ストリームのＩＤＲの再生を行なう再生装置及び再生方法を提供する。【解決手段】  Ｈ．２６４ストリームのＩＤＲの再生指示を受けると、Ｈ．２６４ストリームからＩＤＲを含むＰＥＳを抽出し、ＩＤＲを含むＰＥＳの最後尾に、ＥＯＳ＿ＮＡＬを含むＨ．２６４のパケットを添付して出力する処理部（５０）と、ＩＤＲを含みＥＯＳ＿ＮＡＬを伴うＰＥＳを再生するデコーダ部（１３６）を有する再生装置。【選択図】図１
2008301197.tif 000002
【特許請求の範囲】
【請求項１】
Ｈ．２６４ストリームのＩＤＲの再生指示を受けると、Ｈ．２６４ストリームから前記ＩＤＲを含むＰＥＳを抽出し、前記ＩＤＲを含むＰＥＳの最後尾に、ＥＯＳ＿ＮＡＬを含むＨ．２６４のパケットを添付して出力する処理部と、
前記ＩＤＲを含みＥＯＳ＿ＮＡＬを伴うＰＥＳを再生するデコーダ部と、
を具備することを特徴とする再生装置。
【請求項２】
前記デコーダは、前記ＩＤＲを含み前記ＥＯＳ＿ＮＡＬを伴うＰＥＳを受けると、前記ＥＯＳ＿ＮＡＬでＰＥＳの最終位置を認識し、これに基づいて前記ＩＤＲを再生することを特徴とする請求項１記載の再生装置。
【請求項３】
前記処理部は、Ｈ．２６４ストリームのＩＤＲの再生指示を受けると、Ｈ．２６４ストリームから前記ＩＤＲを含まないＰＥＳは後段に供給しないことを特徴とする請求項１記載の再生装置。
【請求項４】
前記デコーダ部は、Ｈ．２６４ストリームのＩＤＲの再生指示を受けると、前記ＩＤＲを含まないＰＥＳは再生しないことを特徴とする請求項１記載の再生装置。
【請求項５】
前記デコーダ部は、
与えられたパケットをビデオストリームのパケットとオーディオストリームのパケットに分離するＴＳ分離部と、
前記ＴＳ分離部により分離されたビデオストリームのパケットを受け、前記ＩＤＲを含みＥＯＳ＿ＮＡＬを伴うＰＥＳを再生するビデオデコーダと、
前記ＴＳ分離部により分離されたオーディオストリームのパケットを受けこれを再生するオーディオデコーダを含んでいることを特徴とする請求項１記載の再生装置。
【請求項６】
前記ＴＳ分離部は、パケットが前記ＩＤＲを含まないＰＥＳである場合はこれを前記ビデオデコーダに供給しないことを特徴とする請求項５に記載の再生装置。
【請求項７】
前記制御部は、コマ落ち映像を再生するための指示信号を受けることで、Ｈ．２６４ストリームのＩＤＲの再生を行なうことを特徴とする請求項１記載の再生装置。
【請求項８】
ワンセグテレビジョンの放送信号を受信して、前記Ｈ．２６４ストリームを含む映像音声信号を出力するチューナ部を更に有することを特徴とする請求項１記載の再生装置。
【請求項９】
Ｈ．２６４ストリームのＩＤＲの再生指示を受けると、
Ｈ．２６４ストリームから前記ＩＤＲを含むＰＥＳを抽出し、
ＥＯＳ＿ＮＡＬを含むＨ．２６４のパケットを生成して、前記ＩＤＲを含むＰＥＳの最後尾に添付し、
前記ＩＤＲを含みＥＯＳ＿ＮＡＬを伴うＰＥＳをデコードすることを特徴とする再生方法。
【請求項１０】
前記ＩＤＲを含み前記ＥＯＳ＿ＮＡＬを伴うＰＥＳを受けると、前記ＥＯＳ＿ＮＡＬでＰＥＳの最終位置を認識し、
これに基づいて前記ＩＤＲを再生することを特徴とする請求項９記載の再生方法。
【発明の詳細な説明】
【技術分野】
【０００１】
この発明は、Ｈ．２６４ストリームのＩＤＲ（Instantaneous Decoding Refresh）の再生を行なう再生装置及び再生方法に関する。
【背景技術】
【０００２】
近年、映像分野の高画質化に伴い、例えば、Ｈ．２６４が普及してきつつあり、これの応用技術も紹介されてきている。例えば、Ｈ．２６４規格に特有のピクチャとして、ＩＤＲがあり、このピクチャの利用の仕方についても公開された文献が知られている。
【０００３】
特許文献１には、画像のシークポイントを見つけるために、Ｈ．２６４／ＭＰＥＧ−４ＡＶＣ規格におけるＩＤＲピクチャの利用方法が開示されている。
【特許文献１】特開２００６−３０９８１９公報
【発明の開示】
【発明が解決しようとする課題】
【０００４】
しかし、特許文献１の従来技術は、ＩＤＲをシークポイントのピクチャとして利用する技術を開示しているが、Ｈ．２６４規格のデコードの構成を変えることなく、ＩＤＲのみを再生することでコマ落ち画面を再生するためにどのような方法があるかについて、なんら示されていない。
【０００５】
本発明は、Ｈ．２６４規格のデコードの構成を変えることなく、Ｈ．２６４ストリームのＩＤＲの再生を行なう再生装置及び再生方法を提供することを目的とする。
【課題を解決するための手段】
【０００６】
課題を解決するための一実施形態は、
Ｈ．２６４ストリームのＩＤＲの再生指示を受けると、Ｈ．２６４ストリームから前記ＩＤＲを含むＰＥＳ（Packetized Elementary Stream）を抽出し、前記ＩＤＲを含むＰＥＳの最後尾に、ＥＯＳ（End of Stream）＿ＮＡＬ（Network Adaptive Layer）を含むＨ．２６４のパケットを添付して出力する処理部（５０）と、
前記ＩＤＲを含みＥＯＳ＿ＮＡＬを伴うＰＥＳを再生するデコーダ部（１３６）と、
を具備することを特徴とする再生装置である。
【発明の効果】
【０００７】
Ｈ．２６４規格のＥＯＳ＿ＮＡＬを含むダミーＴＳパケットで最終位置を示すので、Ｈ．２６４のデコーダの構成を変えることなく、Ｈ．２６４ストリームであってＩＤＲを含むＰＥＳの再生処理が可能となる。
【発明を実施するための最良の形態】
【０００８】
以下、この発明の実施の形態について図面を参照して詳細に説明する。  
図１は、本発明の一実施形態に係る再生装置の構成の一例を示すブロック図である。
【０００９】
＜本発明に係る一実施形態である再生装置＞
（構成）
本発明に係る一実施形態である再生装置１３０は、図１に示すように、ＴＳストリームを格納するＳＤカード等の記憶部１３５と、全体の動作及びＩＤＲ抽出処理及びＥＯＳ＿ＮＡＬの付加処理を行なう制御部１３１−１と、Ｈ．２６４ストリームをデコード処理するＨ．２６４デコーダ部１３６と、液晶表示部等の表示部１３４と、音声を出力するスピーカ１２４を有している。
【００１０】
ここで、Ｈ．２６４デコーダ部１３６は、ＴＳストリームを入力するストリーム入力部１４１と、ＴＳストリームをビデオストリームとオーディオストリームに分離し、それぞれ後段のビデオデコーダ１４３と、オーディオデコーダ１４４に供給するＴＳ分離部１４２と、ビデオストリームをデコードするビデオデコーダ１４３と、オーディオストリームをデコードするオーディオデコーダ１４４を有している。
【００１１】
このような構成をもつ再生装置１３０は、基本動作として、制御部１３１の制御下において、Ｈ．２６４ストリームを含むＴＳストリームを記憶部１３５から取得し、Ｈ．２６４デコーダ部１３６に供給する。Ｈ．２６４デコーダ部１３６では、ＴＳ分離部１４２でビデオストリームとオーディオストリームに分離する。ビデオストリームはビデオデコーダ１４３でデコードされて表示部１３４に映像が表示され、オーディオストリームは、オーディオデコーダ１４４でデコードされてスピーカ１２４で再生される。
【００１２】
（ＩＤＲの再生処理）
このような再生装置１３０において、Ｈ．２６４ストリームのＩＤＲの再生処理について、フローチャートを用いて説明する。
【００１３】
ＩＤＲ（Instantaneous Decoding Refresh、デコーダ復号動作の瞬時リフレッシュ）ピクチャは、画像シーケンスの先頭のピクチャである。従って、ＩＤＲピクチャのみを再生しようとすると、ＰＥＳ（Packetized Elementary Stream）に１つのアクセスユニットしか含まれていない場合は、１つのＰＥＳだけ入力されただけではピクチャ境界判定ができず，次のＰＥＳが入力されてからでないとデコードが完了せず表示がされない。従って、コマ送り表示のようにＩＤＲ一枚一枚表示する場合にも，ＰＥＳを一つ分よけいに入力しなければならない。
【００１４】
この実施形態では、Ｈ．２６４のシンタックスの一部であるＥＯＳ(End of Stream)＿ＮＡＬ（Network Adaptive Layer）を含むＴＳパケットをＰＥＳの最後に付加し、Ｈ．２６４デコーダにＥＯＳ＿ＮＡＬ出現がＩＤＲの表示条件とすることでＰＥＳ一つでもＩＤＲが表示できるようにする。
【００１５】
以下、図面を用いて、ＩＤＲの再生処理を詳細に説明する。図２は、本発明の一実施形態に係る再生装置が扱うＩＤＲを含んだＨ．２６４ストリームのデータ構造の一例を示す説明図である。図３は、同じく再生装置が扱うＥＯＳ＿ＮＡＬを含むダミーＴＳパケットの構成の一例を示す説明図である。図４は、同じく再生装置におけるＥＯＳ＿ＮＡＬを含むＴＳパケットを付加する処理の一例を示すフローチャートである。図５は、同じく再生装置におけるデコード処理の一例を示すフローチャートである。
【００１６】
なお、以下の図４乃至図７のフローチャートの各ステップは、回路ブロックに置き換えることができ、従って、各フローチャートのステップは、全てブロックに定義しなおすことが可能である。
【００１７】
初めに、本発明の一実施形態に係る再生装置が扱うＩＤＲを含んだＨ．２６４ストリーム１は、一例として、図２に示すように、複数のＰＥＳ（Packetized Elementary Stream）２，６…、からなっている。ここで、ＰＥＳ２は、ＰＥＳ＿Ｈｅａｄｅｒ３とＩＤＲ＿ＡＵ４とｎｏｎ−ＩＤＲ＿ＡＵ５を持っており、ＴＳパケット７は、ＩＤＲ＿ＡＵを有しておらず、ｎｏｎ−ＩＤＲ＿ＡＵのみを持っている。
【００１８】
ここで、再生しようとするＰＥＳは、ＩＤＲを含んでいるＰＥＳ２であり、ＩＤＲを含んでいないＰＥＳ６は、デコーダで再生することはない。
【００１９】
本発明の一実施形態に係る再生装置１３０は、図４のフローチャートが示すように、制御部１３１がＨ．２６４ストリームのＩＤＲの再生指示を受けると、記憶部１３５からＴＳストリームを読み出してくる。そして、制御部１３１は、ＴＳパケットからビデオデータの分離を行なう（ステップＳ１１）。
【００２０】
次に、ビデオデータがＰＥＳの先頭でなければ（ステップＳ１２）、ＴＳパケットをＰＥＳの先頭まで転送する（ステップＳ１３）。ＰＥＳの区切れは，ＳＤ-VideoのファイルのＰＥＳ情報を使っても良いし，ＴＳパケットをパースして見つけることもできる。制御部１３１のＩＤＲ抽出・ＥＯＳ＿ＮＡＬ付加部１３１−１は、ＰＥＳの先頭において、ＩＤＲを含むＰＥＳだけを抽出し、ＩＤＲを含まないＰＥＳは排除する（ステップＳ１４）。その後、制御部１３１のＩＤＲ抽出・ＥＯＳ＿ＮＡＬ付加部１３１−１は、図３に示すようなＥＯＳ＿ＮＡＬを含むＴＳパケット７を生成して、図２に示すようにＩＤＲを含むＰＥＳの最後尾に付加する（ステップＳ１５）。
【００２１】
このようなＥＯＳ＿ＮＡＬを含むＴＳパケット７が付加されたＨ．２６４ストリーム１は、Ｈ．２６４デコーダ部１３６に供給される。ストリーム入力部１４１は、Ｈ．２６４ストリーム１をＴＳ分離部１４２に供給する。
【００２２】
ＴＳ分離部１４２は、図５のフローチャートにおいて、ビデオストリームとオーディオストリームに分離する（ステップＳ２１）。ＴＳ分離部１４２は、データを読み込み（ステップＳ２２）、データがＩＤＲを含んでいるかどうかを判断する（ステップＳ２３）。ＩＤＲを含まないものは、ここで排除することも好適である。
【００２３】
ビデオデコーダ１４３は、供給されたＩＤＲを含んだＰＥＳをデコードする。ここで、ビデオデコーダ１４３は、Ｈ．２６４の規格上、ＥＯＳ＿ＮＡＬがストリームの最終位置であることを認識できるので、ＰＥＳに１つのアクセスユニットしか含まれていない場合でも、ピクチャ境界判定が可能となるため、ＩＤＲを用いたコマ送り映像が再生可能となる。ビデオデコーダ１４３のＥＯＳ＿ＮＡＬ検出部１４３−１は、Ｈ．２６４パケットに含まれているＥＯＳ＿ＮＡＬを検出すると（ステップＳ２５）、デコードした画像情報に応じた画像を表示部１３４に表示する（ステップＳ２６）。
【００２４】
なお、ここでは、ＩＤＲを含んでいないＰＥＳは、ビデオデコーダ１４３ではデコードしないものであるが、ＩＤＲを含んでいないＰＥＳを排除する方法は、上述したように、制御部１３１のＩＤＲ抽出・ＥＯＳ＿ＮＡＬ付加部１３１−１で排除する方法がある。更に、ＴＳ分離部１４２において、ＩＤＲを含んでいないＰＥＳを排除することも好適である。更に、ビデオデコーダ１４３において、ＩＤＲを含んでいないＰＥＳをデコードせず、ＩＤＲを含んでいるＰＥＳだけを選択的にデコードすることも好適である。
【００２５】
また、本実施形態では、Ｈ．２６４デコーダはＥＯＳ＿ＮＡＬをデコードしたら，直前にデコードしている画像があれば強制的に表示を行うようにすることが好適である。
【００２６】
以上、本実施形態によれば、ＴＳストリームに規格に対応しない付加情報を追加せずに、Ｈ．２６４の規格上のパラメータ情報により、Ｈ．２６４デコーダにピクチャ境界を通知することができるため、データ転送帯域の節約とフォーマット変更処理を削除でき，処理負荷を軽減し装置の簡略化を図ることが可能となる。
【００２７】
＜本実施形態に係る再生装置を適用した携帯型通話装置＞
更に、上述した本実施形態に係る再生装置を適用した携帯型通話装置の一実施形態を図面を用いて以下に説明する。図６は、本発明の一実施形態に係る再生装置を適用した携帯型通話装置の一例を示す外観図である。図７は、同じく再生装置を適用した携帯型通話装置の構成の一例を示すブロック図である。
【００２８】
本実施形態に係る再生装置を適用した携帯型通話装置Ｍは、図６に示すような外観を一例として有しており、構成としては図７に示すように、通信部１００と、アンテナ１０１と、デュプレクサ１０２と、ＲＦ受信利得可変増幅器１０３と、ＲＦ帯域制限フィルタ１０４と、周波数変換器１０５と、ＩＦ帯域制限フィルタ１０６と、ＩＦ受信利得可変増幅器１０７と、変調・復調部１０８と、ＩＦ送信利得可変増幅器１１１と、周波数変換器１１２と、ＲＦ帯域制限フィルタ１１３と、ＲＦ送信利得可変増幅器１１４と、電力増幅器１１５と、アイソレータ１１６と、ボコーダ１２３と、スピーカ１２４を有している。
【００２９】
又、更に、携帯型通話装置Ｍは、全体の動作を制御する制御部１３１と、ワンセグ（ワンセグメントの略）のテレビ放送信号を受信するワンセグチューナ部１３２と、複数のスイッチ等を有している操作部１３３と、操作情報や写真画像等を表示する表示部１３４と、動画コンテンツや番組予約情報等を記憶する記憶部１３５と、上述した本発明の一実施形態であるいたＨ．２６４ワンセグデコーダ部１３６’と、メール処理部１３７とが制御部１３１に接続されている。又、Ｈ．２６４ワンセグデコーダ部１３６’の出力は、それぞれ表示部１３４とスピーカ１２４とに接続されている。
【００３０】
又、変調・復調部１０８は、例えば直交復調部１８１と、Ａ／Ｄ変換部１８２と、情報信号復調部１８３と、復号化部１９２とからなり、更に、ボコーダ１２３からの信号を暗号化する暗号化部１８９と、情報信号変調部１８４と、Ｄ／Ａ変換部１８５と、直交変調部１８６とにより構成される。この構成において、直交復調部１８１で直交復調された信号はＡ／Ｄ変換部１８２でＡ／Ｄ変換され、情報信号復調部１８３で情報信号復調されて、復号化部１９２により復号されて出力される。
【００３１】
この携帯型通話装置Ｍはこのような構成において、受信処理について説明すると、基地局から送信されるフォワードリンク信号はアンテナ１０１で受信、デュプレクサ１０２で受信機側回路へ供給され、ＲＦ受信利得可変増幅器１０３で増幅あるいは減衰され、ＲＦ帯域制限フィルタ１０４で不要成分をフィルタリングされ、周波数変換器１０５でＲＦ帯からＩＦ帯へ周波数変換され、ＩＦ帯域制限フィルタ１０６で不要成分をフィルタリングされ、ＩＦ受信利得可変増幅器１０７で増幅あるいは減衰され、変調・復調部１０８へ入力する。
【００３２】
変調・復調部１０８は、例えば直交復調部１８１と、Ａ／Ｄ変換部１８２と、情報信号復調部１８３と、情報信号変調部１８４と、Ｄ／Ａ変換部１８５と、直交変調部１８６で構成される。
【００３３】
ここで、暗号化部１８９と復号化部１９２とは、共通の暗号鍵情報で暗号化され復号されることが好適であり、暗号化処理により通話される音声情報の不当な傍聴を防止するものである。しかし、厳密には、送信側の移動型通話部からの暗号化のための暗号鍵情報と受信側の復号化部１９２との鍵情報が共通であればよい。
【００３４】
この構成を有する携帯型通話装置Ｍの受信処理について以下に説明すると、表示部１３４の操作情報の表示に応じて、ユーザの操作部１３３から与えられる操作情報に応じ、制御部１３１の動作制御に従って、以下のような動作が行われる。すなわち、直交復調部１８１で直交復調された信号は、Ａ／Ｄ変換部１８２でＡ／Ｄ変換され情報信号復調部１８３で情報信号復調され、更に復号化部１９２で復号されて音声としてスピーカ１２４に出力される。
【００３５】
又、更にこの携帯型通話装置Ｍのワンセグ（ワンセグメント）のテレビ放送信号の受信処理ついて以下に説明する。携帯型通話装置Ｍは、ワンセグチューナ部１３２により、アンテナ１０１を介してワンセグ（ワンセグメント）のテレビ放送信号を受信する。ワンセグチューナ部１３２は、操作部１３３から与えられるチャンネル情報に応じて選局された一つの放送信号を制御部１３１に出力される。
【００３６】
次に、ワンセグチューナ部１３２から供給された放送信号を、Ｈ．２６４ワンセグデコーダ部１３６’で上述した手順を一例として、復号し再生可能な映像信号に変換するべく制御する。ここで、制御部１３１は、更に液晶画面等の表示部１３４に表示可能なようにスケール処理や映像処理等を行なうことも好適である。
【００３７】
また、ワンセグチューナ部１３２から供給された放送信号を記憶部１３５に格納し、その後、上述したように格納した放送信号に応じたＨ．２６４ストリームのＩＤＲの再生を行なうことで、コマ落ち映像を再生して表示部１３４に表示することが好適である。これにより、ユーザは、記憶部１３５に格納されたストリームの概要を知ることが可能となる。
【００３８】
このように本実施形態に係る再生装置は、一例として、モバイル装置である携帯型移動電話等のワンセグメントテレビ信号の再生処理等に用いることが好適である。
【００３９】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４０】
【図１】本発明の一実施形態に係る再生装置の構成の一例を示すブロック図。
【図２】本発明の一実施形態に係る再生装置が扱うＩＤＲを含んだＨ．２６４ストリームのデータ構造の一例を示す説明図。
【図３】本発明の一実施形態に係る再生装置で用いられるＥＯＳ＿ＮＡＬを含むダミーＴＳパケットの構成の一例を示す説明図。
【図４】本発明の一実施形態に係る再生装置におけるＥＯＳ＿ＮＡＬを含むＴＳパケットを付加する処理の一例を示すフローチャート。
【図５】本発明の一実施形態に係る再生装置のデコード処理の一例を示すフローチャート。
【図６】本発明の一実施形態に係る再生装置を適用した携帯型通話装置の一例を示す外観図。
【図７】本発明の一実施形態に係る再生装置を適用した携帯型通話装置の構成の一例を示すブロック図。
【符号の説明】
【００４１】
１２４…スピーカ、１３１…制御部、１３１−１…ＩＤＲ抽出・ＥＯＳ＿ＮＡＬ付加部、１３４…表示部、１３５…記憶部、１３６…Ｈ２６４．ワンセグデコーダ部、１４１…ストリーム入力部、１４２…ＴＳ分離部、１４３…ビデオデコーダ、１４４…オーディオデコーダ、Ｍ…携帯型通話装置。
【図１】
2008301197.tif 000003
【図２】
2008301197.tif 000004
【図３】
2008301197.tif 000005
【図４】
2008301197.tif 000006
【図５】
2008301197.tif 000007
【図６】
2008301197.tif 000008
【図７】
2008301197.tif 000009